(57)【要約】【課題】            実際の使用状態において効果的に滑り止め作用を得ることができる筆記具用グリップおよび該グリップを備えた筆記具を提供する。【解決手段】        軸筒２０の把持部位ａ１に配設可能な略筒状の筆記具用グリップにおいて、外周面に複数の凹凸部１１を有するとともに、これら凹凸部１１を前方へゆくにしたがって密集させている。【選択図】          図１
2006347061.tif 000002
【特許請求の範囲】
【請求項１】
軸筒の把持部位に配設可能な略筒状の筆記具用グリップにおいて、
外周面に複数の凹凸部を有するとともに、これら凹凸部を前方へゆくにしたがって密集させていることを特徴とする筆記具用グリップ。
【請求項２】
上記凹凸部は、軸方向に沿う略矩形格子状に構成されるとともに、前方へゆくにしたがって周方向へ密集していることを特徴とする請求項１記載の筆記具用グリップ。
【請求項３】
上記凹凸部は、軸方向に隣接する凹部と凸部との境目に角部を有するとともに、周方向に隣接する凹部と凸部との境目を鈍角状または湾曲状に形成していることを特徴とする請求項２記載の筆記具用グリップ。
【請求項４】
上記凹凸部の周方向の数が３の倍数であることを特徴とする請求項１乃至３何れか１項記載の筆記具用グリップ。
【請求項５】
軸筒の把持部位に、請求項１乃至４何れか１項記載の筆記具用グリップを備えた筆記具であって、
上記筆記具用グリップは、その後端面が、径方向に対し傾斜するように形成され、
前記軸筒は、径方向に対し傾斜した環状であって且つ断面略凹レンズ状の透明リング部を備え、
この透明リング部は、軸筒内を透視可能なように前記軸筒の周壁を部分的に構成するとともに、上記筆記具用グリップの後端面に接触していることを特徴とする筆記具。
【発明の詳細な説明】
【技術分野】
【０００１】
本発明は、筆記具における軸筒の把持部位に装着される筆記具用グリップおよび該グリップを備えたシャープペンシルや、ボールペン、サインペン等の筆記具に関するものである。
【背景技術】
【０００２】
従来、この種の発明には、例えば特許文献１に記載されたもののように、外周面に略網目状の凹凸模様を形成したものがある。
この従来技術によれば、略網目状の凹凸模様により形成される凹凸部が、軸方向および周方向へわたって略均一な密度で配設されており、その凹凸部により軸方向および周方向へわたる略均一的な滑り止め作用を期待することができる。
【０００３】
しかしながら、実際に筆記具が把持され筆記が行われる場合には、使用者の指によって筆記具に対し軸方向への筆圧が加わるため、グリップ外周面の滑り止め作用は、軸方向および周方向へわたって略均一的でなくてもよいものと考えられ、より効果的な滑り止め効が得られるようにするためには、工夫を要する。
【特許文献１】特開２００４−４２３６４号公報
【発明の開示】
【発明が解決しようとする課題】
【０００４】
本発明は上記従来事情に鑑みてなされたものであり、その課題とする処は、実際の使用状態において効果的に滑り止め作用を得ることができる筆記具用グリップおよび該グリップを備えた筆記具を提供することにある。
【課題を解決するための手段】
【０００５】
上記課題を解決するために第一の発明では、軸筒の把持部位に配設可能な略筒状の筆記具用グリップにおいて、外周面に複数の凹凸部を有するとともに、これら凹凸部を前方へゆくにしたがって密集させていることを特徴とする。
【０００６】
ここで、「軸筒の把持部位に配設可能な略筒状の筆記具用グリップ」という構成には、軸筒とは別体に構成されて軸筒に対し装着されるようにした筆記具用グリップや、軸筒に対し一体成型される筆記具用グリップなどを含む。
また、上記凹凸部とは凹部と凸部を交互に配設した構成であればよく、これら凹部と凸部の各々の平面視形状は、限定されるものでなく、例えば、矩形状や、円形状、多角形状、星形状、その他の形状とすることができる。
また、「凹凸部を前方へゆくにしたがって密集させている」という構成には、凹凸部を前方へゆくにしたがって周方向に密集させた態様や、凹凸部を前方へ行くにしたがって軸方向に密集させた態様、凹部を前方へ行くにしたがって周方向および軸方向に密集させた態様等を含む。
【０００７】
また、第二の発明では、上記凹凸部は、軸方向に沿う略矩形格子状に構成されるとともに、前方へゆくにしたがって周方向へ密集していることを特徴とする。
【０００８】
また、第三の発明では、上記凹凸部は、軸方向に隣接する凹部と凸部との境目に角部を有するとともに、周方向に隣接する凹部と凸部との境目を鈍角状または湾曲状に形成していることを特徴とする。
【０００９】
また、第四の発明では、上記凹凸部の周方向の数が３の倍数であることを特徴とする。
【００１０】
また、第五の発明では、軸筒の把持部位に、上記筆記具用グリップを備えた筆記具であって、上記筆記具用グリップは、その後端面が、径方向に対し傾斜するように形成され、前記軸筒は、径方向に対し傾斜した環状であって且つ断面略凹レンズ状の透明リング部を備え、この透明リング部は、軸筒内を透視可能なように前記軸筒の周壁を部分的に構成するとともに、上記筆記具用グリップの後端面に接触していることを特徴とする。
【発明の効果】
【００１１】
本発明は、以上説明したように構成されているので、以下に記載されるような作用効果を奏する。
第一の発明によれば、筆記具の軸筒に装着され状態で、使用者により把持され筆記が行われる際、使用者の指の筆圧は、当該筆記具用グリップを握ろうとする軸筒求心方向への力と、筆記先端部を筆記対象物（紙面等）に押し付けようとする前方への力との合力になる。
前記のような筆圧が加わった際、使用者の指は、軸筒に対し前方へ滑ろうとするが、当該筆記具用グリップの外周面における複数の凹凸部が前方へゆくにしたがって密集しているため、その前方への指の滑りを効果的に防ぐことができる。
よって、実際の使用状態において効果的に滑り止め作用を得ることができる。
【００１２】
更に、第二の発明によれば、軸方向に沿う略矩形格子状に配設された凹凸部により、軸方向および周方向の滑りを防ぐことができる上、筆圧が加わった際には、周方向へ密集した凹凸部により、軸方向の滑りを特に効果的に防止することができる。
【００１３】
更に、第三の発明によれば、軸方向に隣接する凹部と凸部との境目に角部を有するため、該角部により、筆圧により生じる軸方向の滑りを、一層効果的に防止することができる。しかも、周方向に隣接する凹部と突部との境目が鈍角状または湾曲状に形成されているため、周方向においては必要最小限の滑り止め効果を得ることができる上、把持感触が良好である。
【００１４】
更に、第四の発明によれば、凹凸部の周方向の数が、通常筆記具を把持する際の指の数（親指、人差指、中指の３本）の倍数であるため、より効果的な滑り止め効果を得ることができる上、把持感触も一層良好である。
【００１５】
更に、第五の発明によれば、筆記具用グリップの後端面と透明リング部とが、径方向に対し傾斜する方向において接触しているため、筆記具用グリップが軸筒に対して回転してしまうのを防ぐことができる。
その上、透明リング部により、軸筒内の状態（残芯量や、インク残量、振子体の移動状態等）を目視確認することができる。
しかも、透明リング部が断面略凹レンズ状に形成されているため、軸筒内部構造が縮小されて視認され、その視覚的効果により、意匠性を向上することができる。
【発明を実施するための最良の形態】
【００１６】
以下、本発明の実施の形態を図面に基づいて説明する。
この筆記具用グリップ１０は、エラストマー樹脂等の弾性材料により、後述する筆記具Ａの把持部位ａ１に配設可能な略筒状に形成されている。
より詳細に説明すれば、この筆記具用グリップ１０は、その前端面１０ａを径方向に対し略平行な端面（換言すれば軸心に略直交する端面）とし、後端面１０ｂを径方向に対し傾斜する端面としており、前方へ向かって若干先細な略筒状に形成されている。
【００１７】
この筆記具用グリップ１０の外周面には、複数の凹凸部１１が軸方向に沿う略矩形格子状に配設され、これら凹凸部１１は、前方へゆくにしたがって周方向へ密集するように配設されている。
【００１８】
各凹凸部１１は、軸方向に沿って長尺な略矩形状の凹部１１ａと、同様に軸方向に沿って長尺な略矩形状の凸部１１ｂとからなる。これら凹部１１ａと凸部１１ｂは、図示例によれば、周方向において、略同面積の同矩形状に形成されているが、その一方を他方に対し小さく形成することも可能である。
そして、これら凹部１１ａと凸部１１ｂは、周方向へわたって交互に配置され、且つ、軸方向へわたっても交互に配置されている。
【００１９】
凹部１１ａは、軸方向の両隣に位置する凸部１１ｂ，１１ｂ間にわたって、その断面形状が所定半径のＲ加工状を呈する（図２参照）。
【００２０】
また、凸部１１ｂは、軸方向の両隣に位置する凹部１１ａ，１１ａ間にわたって、その断面における外周面が略円弧状を呈する（図２参照）。
【００２１】
軸方向に隣接する凹部１１ａと凸部１１ｂとの境目には、角部１１ｃが形成されている。
この角部１１ｃは、詳細に説明すれば、凸部１１ｂの軸方向の端面と、凹部１１ａの表面とが交差する角である。
【００２２】
また、径方向に隣接する凹部１１ａと凸部１１ｂとの境目ｄは、略鈍角状に形成され、図示例によれば、凹部１１ａの表面と凸部１１ｂの表面とが交差する角部の角度が１４０〜１５０°の範囲内に設定されている。なお、前記境目ｄが湾曲面となる構成としてもよい。
【００２３】
そして、上記構成の凹凸部１１は、当該筆記具用グリップ１０が使用者の三本の指（親指、人差指、中指）により把持された際に、効果的な滑り止め作用を奏し、且つ良好な把持感触を有するように、その周方向の数が３の倍数に設定されている。
すなわち、図示例によれば、凹部１１ａと凸部１１ｂの各々が、周方向において、９づつ配設されている。
【００２４】
また、凹部１１ａと凸部１１ｂとの境目ｄによって形成される軸方向のラインＬは、軸方向へ連続する直線状であり、周方向に隣り合うラインＬ，Ｌ間の間隔ｗが前方へ向かって徐々に狭くなっている。
すなわち、複数の凹部１１ａ及び凸部１１ｂは、前方へゆくにしたがって周方向へ密集している。
【００２５】
次に、上記構成の筆記具用グリップ１０を備えた筆記具Ａについて、図３及び図５に基づいて説明する。
筆記具Ａは、図示例によればシャープペンシルであり、後端のノック棒４０または軸筒２０内の振子体５０の往復動により、軸筒２０内の芯タンク３０に備蓄された鉛芯ｃを、先口６０先端から繰り出すように構成されている。
【００２６】
軸筒２０は、前軸２１や後軸２２等の複数の部材からなる略筒状を呈し、前軸２１の前部側を使用者により把持される把持部位ａ１としている。
前軸２１は、その軸方向の略中央側に、周方向へ突出する透明リング部２１ａを備え、該透明リング部２１ａよりも前方側をグリップ装着部２１ｂとし、該透明リング部２１ａよりも後方側を後軸接続部２１ｃとしている。
そして、この軸筒２０は、透明合成樹脂材料から形成され、前記グリップ装着部２１ｂの外周に、不透明材料（透光性材料を含む）からなる筆記具用グリップ１０を環状に装着し、後軸接続部２１ｃには、不透明材料（透光性材料を含む）からなる後軸２２を覆い被せるようにして接続している。
したがって、この軸筒２０によれば、軸方向における透明リング部２１ａの箇所のみが、内部構造を明瞭に透視させる構成となっている。
【００２７】
透明リング部２１ａは、筆記具用グリップ１０の後端面にならうように、径方向に対し傾斜した環状に形成され、筆記具用グリップ１０の後端面に対し全周にわたって接触している。
したがって、この透明リング部２１ａによれば、筆記具用グリップ１０が周方向へ回転するのを防ぐことができる。
なお、本実施の形態の一例では、筆記具用グリップ１０の周方向への回転をより確実に防ぐために、筆記具用グリップ１０の内面とグリップ装着部２１ｂ外周面とを、図示しない箇所で凹凸状に嵌め合わせている。
【００２８】
また、透明リング部２１ａの外周面は、断面略凹レンズ状に形成されている（図４参照）。より詳細に説明すれば、この透明リング部２１ａの周壁は、その外周面が軸方向にわたって凹曲状となるように形成されている。
したがって、この透明リング部２１ａによれば、芯タンク３０内の鉛芯ｃの残量や振子体５０の往復動等を外部から視覚的に確認できるのは勿論のこと、芯タンク３０や振子体５０等を若干縮小して透視させるという光学的作用も奏する。
【００２９】
上記構成の筆記具Ａによれば、使用者により把持され筆圧が加えられた際、該使用者の指が軸筒２０に対し前方へ滑ろうとするのを、筆記具用グリップ１０外周前側で周方向に密集した凹凸部１１、および該凹凸部１１における凹部１１ａと凸部１１ｂとの境目の角部１１ｃにより、効果的に防ぐことができる。
また、周方向に隣り合う凹部１１ａと凸部１１ｂとの境目ｄを鈍角状に形成し、かつ凹凸部１１の数を３の倍数としたため、使用者の指が周方向へ滑ってしまうのを防ぐ必要最小限の滑り止め効果を奏する上、良好な把持感触を得ることができる。
【図面の簡単な説明】
【００３０】
【図１】本発明に係る筆記具用グリップの一例を示し、（ａ）は平面図であり、（ｂ）は（ａ）に対する正面図である。なお、図中、２点鎖線によるハッチングの部分は凸部を示し、他の部分は凹部を示している。
【図２】同筆記具用グリップを軸心に対し直交する方向に切断した場合の拡大断面図である。
【図３】同筆記具用グリップを備えた筆記具の一例を示す正面図である。
【図４】同筆記具の要部拡大断面図である。
【符号の説明】
【００３１】
１０：筆記具用グリップ      １１：凹凸部        １１ａ：凹部
１１ｂ：凸部                ２０：軸筒          ２１ａ：透明リング部
Ａ：筆記具                  ａ１：把持部位
【図１】
2006347061.tif 000003
【図２】
2006347061.tif 000004
【図３】
2006347061.tif 000005
【図４】
2006347061.tif 000006